(57)【要約】      （修正有）【課題】乗場三方枠の取替え時に建物躯体壁を削り取ることなく、しかも取替え作業時間の短縮や芯出し等の位置調整を容易にしたエレベータの乗場三方枠取付装置を得る。【解決手段】固定枠組立は、建築躯体壁の躯体鋼３に固着される三方枠止め板９と、三方枠止め板９の両側下端部に設けられ、乗場床に固定される固定枠床板と、三方枠止め板９の背面に設けられ、凹部が形成された三方枠取付金具１１とを有し、三方枠組立は、固定枠組立の内側に配置固定される三方枠本体と、三方枠本体の両側部裏面に固着された三方枠補強２２と、三方枠補強２２に固着され、固定枠組立の三方枠取付金具の凹部内に差し込み係合される凸部が形成された三方枠取付金具２３とを有し、固定枠組立の三方枠取付金具１１の凹部内に三方枠組立の三方枠取付金具２３の凸部を差し込んだ状態で両者を締結手段により締結固定して、乗場三方枠を組立てる。【選択図】図２
2006341944.tif 000002
【特許請求の範囲】
【請求項１】
エレベータ乗場出入口に設けられ、建築躯体壁の躯体鋼に固着される固定枠組立と、前記固定枠組立に固定され、乗場出入口を形成する三方枠組立とを備えたエレベータの乗場三方枠において、
前記固定枠組立は、前記建築躯体壁の躯体鋼に固着される三方枠止め板と、前記三方枠止め板の両側下端部に設けられ、乗場床に固定される固定枠床板と、前記三方枠止め板の背面に設けられ、凹部が形成された三方枠取付金具とを有し、
前記三方枠組立は、前記固定枠組立の内側に配置固定される三方枠本体と、前記三方枠本体の両側部裏面に固着された三方枠補強と、前記三方枠補強に固着され、前記固定枠組立の三方枠取付金具の凹部内に差し込み係合される凸部が形成された三方枠取付金具とを有し、
前記固定枠組立の三方枠取付金具の凹部内に前記三方枠組立の三方枠取付金具の凸部を差し込んだ状態で両者を締結手段により締結固定することにより、乗場三方枠を組立てることを特徴とするエレベータの乗場三方枠取付装置。
【請求項２】
固定枠組立は、建築躯体壁の躯体鋼に固着される門型の三方枠止め板と、三方枠止め板の両側下端部に設けられ、乗場床に固定される固定枠床板と、前記三方枠止め板の背面に設けられ、凹部が形成された三方枠取付金具と、前記三方枠取付金具に固着された取付ナットとを有し、
三方枠組立は、前記固定枠組立の内側に配置固定される門型の三方枠本体と、前記三方枠本体の両側部裏面に固着された三方枠補強と、前記三方枠補強に固着され、前記固定枠組立の三方枠取付金具の凹部内に差し込み係合される凸部が形成された三方枠取付金具とを有し、
前記固定枠組立の三方枠取付金具の凹部内に前記三方枠組立の三方枠取付金具の凸部を差し込んだ状態で前記取付ナットに固定ボルトを締結固定することにより、乗場三方枠を組立てることを特徴とする請求項１記載のエレベータの乗場三方枠取付装置。
【請求項３】
エレベータ乗場出入口に設けられ、建築躯体壁の躯体鋼に固着される固定枠組立と、前記固定枠組立に固定され、乗場出入口を形成する三方枠組立とを備えたエレベータの乗場三方枠において、
前記固定枠組立は、前記建築躯体壁の躯体鋼に固着される三方枠止め板と、前記三方枠止め板の両側下端部に設けられ、乗場床に固定される固定枠床板と、前記三方枠止め板の背面に設けられ、凹部が形成された三方枠取付金具とを有し、
前記三方枠組立は、前記固定枠組立の内側に配置固定される三方枠本体と、前記三方枠本体の両側部裏面に固着された三方枠補強と、前記三方枠補強に固着され、前記固定枠組立の三方枠取付金具の凹部内に差し込み係合される凸部が形成された三方枠取付金具とを有し、
前記固定枠組立を乗場出入口中心に仮設置し、芯出し調整するステップと、芯出し調整完了後、前記固定枠組立を建築躯体床面に固定するとともに、前記建築躯体壁の躯体鋼に溶接固定するステップと、前記固定枠組立の三方枠取付金具の凹部内に前記三方枠組立の三方枠取付金具の凸部を差し込んだ状態で両者を締結手段で締結して前記三方枠組立を仮設置するステップと、前記三方枠組立を芯出し調整し、据付け基準値に設定する芯出し調整ステップと、芯出し調整完了後、前記三方枠組立と前記固定枠組立を前記締結手段で強固に締結固定することにより、乗場三方枠を組立てるステップとを備えたことを特徴とするエレベータの乗場三方枠取付方法。
【請求項４】
固定枠組立は、建築躯体壁の躯体鋼に固着される門型の三方枠止め板と、三方枠止め板の両側下端部に設けられ、乗場床に固定される固定枠床板と、前記三方枠止め板の背面に設けられ、凹部が形成された三方枠取付金具と、前記三方枠取付金具に固着された取付ナットとを有し、
三方枠組立は、前記固定枠組立の内側に配置固定される門型の三方枠本体と、前記三方枠本体の両側部裏面に固着された三方枠補強と、前記三方枠補強に固着され、前記固定枠組立の三方枠取付金具の凹部内に差し込み係合される凸部が形成された三方枠取付金具とを有し、
前記固定枠組立を乗場出入口中心に仮設置し、芯出し調整するステップと、芯出し調整完了後、前記固定枠組立を建築躯体床面に固定するとともに、前記建築躯体壁の躯体鋼に溶接固定するステップと、前記固定枠組立の三方枠取付金具の凹部内に前記三方枠組立の三方枠取付金具の凸部を差し込んだ状態で前記取付ナットに固定ボルトを締結して前記三方枠組立を仮設置するステップと、前記三方枠組立を芯出し調整し、据付け基準値に設定する芯出し調整ステップと、芯出し調整完了後、前記三方枠組立と前記固定枠組立を前記取付ナットと固定ボルトで強固に締結固定することにより、乗場三方枠を組立てるステップとを備えたことを特徴とする請求項３記載のエレベータの乗場三方枠取付方法。
【請求項５】
既設三方枠組立を新規の三方枠組立に取替える際に、既設三方枠組立と固定枠組立を強固に締結固定している締結手段を取外し、既設三方枠を撤去するステップと、新規の三方枠を芯出し調整完了後、新規の三方枠組立と固定枠組立を前記締結手段で強固に締結固定することにより、乗場三方枠を改修するステップとを備えたことを特徴とする請求項３記載のエレベータの乗場三方枠改修方法。
【請求項６】
既設三方枠組立を新規の三方枠組立に取替える際に、既設三方枠組立と固定枠組立を強固に締結固定している取付ナットと固定ボルトを取外し、既設三方枠を撤去するステップと、新規の三方枠を芯出し調整完了後、新規の三方枠組立と固定枠組立を前記取付ナットと固定ボルトで強固に締結固定することにより、乗場三方枠を改修するステップとを備えたことを特徴とする請求項４記載のエレベータの乗場三方枠改修方法。
【発明の詳細な説明】
【技術分野】
【０００１】
この発明は、取替え工事作業を容易にしたエレベータの乗場三方枠取付装置及びその方法並びに乗場三方枠改修方法に関するものである。
【背景技術】
【０００２】
従来、エレベータの改修等により乗場三方枠を取替えたり、外部からの衝撃による乗場三方枠の変形や破損等により乗場三方枠を取替えたりする時、現状では既設の乗場三方枠自身が建物躯体壁に取り付け固定されているため、既設乗場三方枠周りの建物躯体壁を削り取り（はつり）、既設の乗場三方枠を撤去した後、新規の乗場三方枠を設置し、従来と同様の工法で取り付け固定し、その後、新規の乗場三方枠周りの壁意匠仕上げ工事が発生するという問題がある。
また、従来技術として、乗場壁の取り壊しを必要とせず、容易に交換することができるエレベータの乗場枠が提案されている（例えば、特許文献１参照）。
【０００３】
【特許文献１】特開平１０−１３９３３５号公報
【発明の開示】
【発明が解決しようとする課題】
【０００４】
従来のエレベータの乗場三方枠では、新規の乗場三方枠に取替える場合、新規の乗場三方枠周りの壁意匠仕上げ工事が発生するため、取替え作業に時間がかかり、エレベータが復帰するまで長期間使用できないという問題が発生する。また、従来技術に記載のものでは、乗場壁に固定された固定枠に支持腕を溶接により固定し、乗場枠本体に固定腕を溶接により固定し、支持腕と固定腕をボルト、ナット、調整座金にて組立てなければならず、乗場三方枠の取替え時間が長くかかり、乗場三方枠の前後、左右、水平の倒れが無いように位置調整（芯出し調整）を数多く実施する必要があり、高度な取り付け工法や技術を要するとともに、それに伴う作業時間が多くかかるため、作業効率が悪いという問題点があった。
【０００５】
この発明は、上述のような課題を解決するためになされたもので、乗場三方枠の取替え時に建物躯体壁を削り取ることなく、しかも取替え作業時間の短縮や芯出し等の位置調整を容易にしたエレベータの乗場三方枠取付装置及びその取付方法並びに乗場三方枠改修方法を提供することを目的とするものである。  
【課題を解決するための手段】
【０００６】
この発明に係るエレベータの乗場三方枠取付装置においては、エレベータ乗場出入口に設けられ、建築躯体壁の躯体鋼に固着される固定枠組立と、固定枠組立に固定され、乗場出入口を形成する三方枠組立とを備えたものにおいて、固定枠組立は、建築躯体壁の躯体鋼に固着される三方枠止め板と、三方枠止め板の両側下端部に設けられ、乗場床に固定される固定枠床板と、三方枠止め板の背面に設けられ、凹部が形成された三方枠取付金具とを有し、三方枠組立は、固定枠組立の内側に配置固定される三方枠本体と、三方枠本体の両側部裏面に固着された三方枠補強と、三方枠補強に固着され、固定枠組立の三方枠取付金具の凹部内に差し込み係合される凸部が形成された三方枠取付金具とを有し、固定枠組立の三方枠取付金具の凹部内に三方枠組立の三方枠取付金具の凸部を差し込んだ状態で両者を締結手段により締結固定することにより、乗場三方枠を組立てるものである。
【０００７】
また、固定枠組立は、建築躯体壁の躯体鋼に固着される門型の三方枠止め板と、三方枠止め板の両側下端部に設けられ、乗場床に固定される固定枠床板と、三方枠止め板の背面に設けられ、凹部が形成された三方枠取付金具と、三方枠取付金具に固着された取付ナットとを有し、三方枠組立は、固定枠組立の内側に配置固定される門型の三方枠本体と、三方枠本体の両側部裏面に固着された三方枠補強と、三方枠補強に固着され、固定枠組立の三方枠取付金具の凹部内に差し込み係合される凸部が形成された三方枠取付金具とを有し、固定枠組立の三方枠取付金具の凹部内に三方枠組立の三方枠取付金具の凸部を差し込んだ状態で取付ナットに固定ボルトを締結固定することにより、乗場三方枠を組立てるものである。
【０００８】
また、この発明に係るエレベータの乗場三方枠取付方法においては、固定枠組立は、建築躯体壁の躯体鋼に固着される三方枠止め板と、三方枠止め板の両側下端部に設けられ、乗場床に固定される固定枠床板と、三方枠止め板の背面に設けられ、凹部が形成された三方枠取付金具とを有し、三方枠組立は、固定枠組立の内側に配置固定される三方枠本体と、三方枠本体の両側部裏面に固着された三方枠補強と、三方枠補強に固着され、固定枠組立の三方枠取付金具の凹部内に差し込み係合される凸部が形成された三方枠取付金具とを有し、固定枠組立を乗場出入口中心に仮設置し、芯出し調整するステップと、芯出し調整完了後、固定枠組立を建築躯体床面に固定するとともに、建築躯体壁の躯体鋼に溶接固定するステップと、固定枠組立の三方枠取付金具の凹部内に三方枠組立の三方枠取付金具の凸部を差し込んだ状態で両者を締結手段で締結して三方枠組立を仮設置するステップと、三方枠組立を芯出し調整し、据付け基準値に設定する芯出し調整ステップと、芯出し調整完了後、三方枠組立と固定枠組立を締結手段で強固に締結固定することにより、乗場三方枠を組立てるステップとを備えたものである。
【０００９】
また、固定枠組立は、建築躯体壁の躯体鋼に固着される門型の三方枠止め板と、三方枠止め板の両側下端部に設けられ、乗場床に固定される固定枠床板と、三方枠止め板の背面に設けられ、凹部が形成された三方枠取付金具と、三方枠取付金具に固着された取付ナットとを有し、三方枠組立は、固定枠組立の内側に配置固定される門型の三方枠本体と、三方枠本体の両側部裏面に固着された三方枠補強と、三方枠補強に固着され、固定枠組立の三方枠取付金具の凹部内に差し込み係合される凸部が形成された三方枠取付金具とを有し、固定枠組立を乗場出入口中心に仮設置し、芯出し調整するステップと、芯出し調整完了後、固定枠組立を建築躯体床面に固定するとともに、建築躯体壁の躯体鋼に溶接固定するステップと、固定枠組立の三方枠取付金具の凹部内に三方枠組立の三方枠取付金具の凸部を差し込んだ状態で取付ナットに固定ボルトを締結して三方枠組立を仮設置するステップと、三方枠組立を芯出し調整し、据付け基準値に設定する芯出し調整ステップと、芯出し調整完了後、三方枠組立と固定枠組立を前記取付ナットと固定ボルトで強固に締結固定することにより、乗場三方枠を組立てるステップとを備えたものである。
【００１０】
また、この発明に係るエレベータの乗場三方枠改修方法においては、既設三方枠組立を新規の三方枠組立に取替える際に、既設三方枠組立と固定枠組立を強固に締結固定している締結手段を取外し、既設三方枠を撤去するステップと、新規の三方枠を芯出し調整完了後、新規の三方枠組立と固定枠組立を前記締結手段で強固に締結固定することにより、乗場三方枠を改修するステップとを備えたものである。
【００１１】
また、既設三方枠組立を新規の三方枠組立に取替える際に、既設三方枠組立と固定枠組立を強固に締結固定している取付ナットと固定ボルトを取外し、既設三方枠を撤去するステップと、新規の三方枠を芯出し調整完了後、新規の三方枠組立と固定枠組立を前記取付ナットと固定ボルトで強固に締結固定することにより、乗場三方枠を改修するステップとを備えたものである。  
【発明の効果】
【００１２】
この発明によれば、固定枠組立と三方枠組立との取付構造を取付金具同士の差し込み係合方式としたので、三方枠組立の芯出し調整作業が容易となり、作業性が向上するので、作業時間を短縮することができる。また、既設三方枠組立を新設の三方枠組立に取替える際、既設三方枠組立を固定枠組立から簡単に取外し撤去することができるとともに、建築仕上壁を傷付けることなく取外すことができるので、建物意匠を再度仕上げる必要がない。
【発明を実施するための最良の形態】
【００１３】
実施の形態１．
図１はこの発明の実施の形態１におけるエレベータの乗場三方枠取付装置を示す正面図、図２は図１におけるＡ−Ａ線に沿った断面図、図３はこの発明の実施の形態１におけるエレベータ乗場の固定枠組立を示す斜視図、図４は固定枠組立を中間部を省略して示す正面図、図５は図４の矢印Ｂ方向から見た中間部を省略して示す平面図、図６は図５の矢印Ｃ方向から見た中間部を省略して示す側面図、図７はこの発明の実施の形態１におけるエレベータ乗場の三方枠組立を示す斜視図、図８は図７のＤ−Ｄ線に沿った断面図、図９は図８の矢印Ｅ方向から見た中間部を省略して示す側面図、図１０は図９の矢印Ｆ方向から見た一部平面図、図１１はこの発明の実施の形態１におけるエレベータの乗場三方枠取付装置の要部構造を示す平面図である。
【００１４】
図において、１はエレベータの乗場三方枠、２は乗場三方枠１の周囲の乗場壁である。この乗場壁２は、鉄筋等からなる躯体鋼３が埋設された建築躯体壁４と、この建築躯体壁４の表面に施行される建築仕上壁５とから構成されている。６は乗場床仕上面である。７は鉄筋等の躯体鋼３に溶接される取付金具、８は取付金具７に溶接される固定枠組立である。この固定枠組立８は、門型の三方枠止め板９と、三方枠止め板９の左右両側下端部に設けられ、複数の取付ボルト穴１０ａをそれぞれ有する固定枠床板１０と、三方枠止め板９の背面に設けられ、先端がＵ字状を呈し凹部が形成された複数の三方枠取付金具１１と、三方枠取付金具１１に溶接等により固着された三方枠取付ナット１２及び三方枠固定ボルト挿入穴１３とから構成されている。上記固定枠組立８は、乗場出入口中心に仮設置され、その仮設置時に左右両側下端部の固定枠床板１０の下面と建築躯体床面との間に芯出し調整用座金１４を挿入して、前後、左右の倒れ、上下方向の取付位置の芯出しを実施し、その芯出しが完了した後、取付ボルト１５により建築躯体床面に強固に固定するとともに、取付金具７を介して建築躯体壁４の躯体鋼３に強固に溶接固定されて、固定枠組立８の取り付けを完了させる。２０は固定枠組立８に固定されてエレベータの乗場出入口を形成する三方枠組立である。この三方枠組立２０は、門型の三方枠本体２１と、三方枠本体２１の両側部裏面に溶接固定されたＳ字状の三方枠補強２２と、この三方枠補強２２の裏面に溶接固定され、先端凸状部が上記固定枠組立８の三方枠取付金具１１のＵ字状凹部内に挿入配置されるＺ字状の三方枠取付金具２３と、三方枠補強２２の昇降路側端部に取付ボルトで固定された継足枠２４と、三方枠床板２５と、三方枠本体２１の天井部上面に溶接固定された天井補強２６とから構成されている。上記三方枠組立２０は正規に組立てられた後、固定枠組立８の三方枠取付金具１１のＵ字状凹部内に、三方枠組立２０の三方枠取付金具２３の先端凸部を差し込み、三方枠固定ボルト挿入穴１３から挿入した三方枠固定ボルト２７を三方枠取付ナット１２に締結して三方枠組立２０を仮設置する。そして、下り振り、水平器等の芯出し治具により、前後、左右、上下の芯出しを実施し、据付け基準内で仮設置されている場合は、三方枠固定ボルト２７で強固に締結固定する。また、三方枠床板２５を取付ボルトにより建築躯体床面に強固に固定することにより完了する。なお、前後、左右、上下の芯出しが据付け基準外で仮設置されている場合は、固定枠組立８の三方枠取付金具１１と三方枠組立２０の三方枠取付金具２３との間に適当な厚さ、適当な数の調整座２８を出し、入れして据付け基準値に設定した後、三方枠固定ボルト２７で強固に締結固定することにより、三方枠組立２０を固定枠組立８に取り付ける作業が完了する。  
【００１５】
次に、乗場三方枠が破損したり或いは変形が生じて取り替える必要が発生した場合について説明する。
従来のものでは、既設乗場三方枠を固定するために、建築躯体壁４に埋設された鉄筋等の躯体鋼３に溶接されている固定金具を鉄筋等の躯体鋼３から切り離す必要がある。この為、既設乗場三方枠周りの建築仕上壁５及び建築躯体壁４の一部を削り取り（はつり）、三方枠固定金具又は鉄筋等の躯体鋼を切断して、既設乗場三方枠を外してから、新規の乗場三方枠を据付け基準に合った芯出し調整を実施した後、三方枠固定金具と鉄筋等の躯体鋼とを溶接等により強固に固定する。そして、最後に削り取った部分をモルタル詰めや、建築仕上壁５により建物意匠として再度仕上げる必要があった。
ところが、この実施の形態１によれば、乗場三方枠の周りのコーキング２９を取り除き、更に昇降路側の塞ぎ板３０を取外して、固定枠組立８の三方枠取付金具１１と三方枠組立２０の三方枠取付金具２３とを締結している三方枠固定ボルト２７を取外せば、既設三方枠組立２０を固定枠組立８から簡単に取外し撤去することができるとともに、建築仕上壁５を傷付けることなく取外すことができる。また、新規の三方枠組立２０に取り替える場合は、上記取り付けの場合と同様に実施すればよい。
【図面の簡単な説明】
【００１６】
【図１】この発明の実施の形態１におけるエレベータの乗場三方枠取付装置を示す正面図である。
【図２】図１におけるＡ−Ａ線に沿った断面図である。
【図３】この発明の実施の形態１におけるエレベータ乗場の固定枠組立を示す斜視図である。
【図４】固定枠組立を中間部を省略して示す正面図である。
【図５】図４の矢印Ｂ方向から見た中間部を省略して示す平面図である。
【図６】図５の矢印Ｃ方向から見た中間部を省略して示す側面図である。
【図７】この発明の実施の形態１におけるエレベータ乗場の三方枠組立を示す斜視図である。
【図８】図７のＤ−Ｄ線に沿った断面図である。
【図９】図８の矢印Ｅ方向から見た中間部を省略して示す側面図である。
【図１０】図９の矢印Ｆ方向から見た一部平面図である。
【図１１】この発明の実施の形態１におけるエレベータの乗場三方枠取付装置の要部構造を示す平面図である。
【符号の説明】
【００１７】
１  乗場三方枠    
２  乗場壁
３  躯体鋼（鉄筋）
４  建築躯体壁
５  建築仕上壁
６  乗場床仕上面
７  取付金具
８  固定枠組立
９  三方枠止め板
１０  固定枠床板
１０ａ  取付ボルト穴
１１  三方枠取付金具    
１２  三方枠取付ナット
１３  三方枠固定ボルト挿入穴
１４  芯出し調整用座金
１５  取付ボルト
２０  三方枠組立
２１  三方枠本体
２２  三方枠補強
２３  三方枠取付金具
２４  継足枠    
２５  三方枠床板
２６  天井補強
２７  三方枠固定ボルト
２８  調整座
２９  コーキング
３０  塞ぎ板
【図１】
2006341944.tif 000003
【図２】
2006341944.tif 000004
【図３】
2006341944.tif 000005
【図４】
2006341944.tif 000006
【図５】
2006341944.tif 000007
【図６】
2006341944.tif 000008
【図７】
2006341944.tif 000009
【図８】
2006341944.tif 000010
【図９】
2006341944.tif 000011
【図１０】
2006341944.tif 000012
【図１１】
2006341944.tif 000013